(57)【要約】【課題】信号伝導効率を引き上げること伝送效率を引き上げるとともに、メモリカードの書き込みもしくは書込み防止の動作を確実にさせる。【解決手段】メモリカード本体の両面に伝導片が設けられているとともに電子式のスイッチを有し、前記各伝導片及び電子式のスイッチは前記メモリカード本体内部のメモリカード回路にそれぞれ通じており、当該電子式のスイッチを本体上の位置に調整して回路の短路もしくは断絶をすることにより書き込み可能状態もしくは書込み防止状態に切り替える。【選択図】　図６
0003098017.tif 000002
【実用新案登録請求の範囲】
【請求項１】
メモリカード本体の両面に伝導片が設けられているとともに電子式のスイッチを有し、前記各伝導片及び電子式のスイッチは前記メモリカード本体内部のメモリカード回路にそれぞれ通じており、当該電子式のスイッチを本体上の位置に調整して回路の短路もしくは断絶をすることにより書き込み可能状態もしくは書込み防止状態に切り替えることができることを特徴とするメモリカード。
【請求項２】
上記メモリカード本体の両面に設けられている伝導片が工作して設置されている請求項１に記載のメモリカード。
【請求項３】
上記電子式のスイッチが断面をほぼ「Π」型とした金属カバーで、メモリカード本体頂上部には当該スイッチの凹槽があり、当該スイッチは当該凹槽内に本体に向けて、もしくは本体から離れるように移動し、当該スイッチの内側にはカードフックが設けられ、これによって当該カードフックはスイッチフックと凹槽で相対して凹陷部内で合わさることとなり、当該凹槽内部の適切な箇所に設置された導電片で、スイッチと当該導電片での接触時に回路短路が形成され、メモリカードに書込み防止状態が生み出される。スイッチが導電片から離れている時、回路は断絶状態となり、メモリカードには書き込み可能状態が回復される請求項１または２に記載のメモリカード。
【請求項４】
上記メモリカード本体の凹槽にスイッチのカードフックの接合箇所となる凸部を設けており、これによって当該凸部はスイッチ切換時の定位の役割を成しており、スイッチの滑走を防止している請求項３に記載のメモリカード。
【請求項５】
上記スイッチは断面がほぼ「Π」型の金屬カバーを有しているとともに、メモリカード本体頂上部には当該スイッチの凹槽を有しており、当該スイッチは当該凹槽内を滑走するものであり、これによって当該スイッチポジションの格差を生んでおり、メモリカード回路の短路もしくは断絶を形成し、これによってメモリカードを書き込み可能もしくは書き込み防止の状態に切り替える請求項１記載のメモリカード。
【請求項６】
上記メモリカード本体は適切な箇所に凹槽を有し、カードリーダーの退出機構に配合し、メモリカードでのカードリーダー退出での速度を低下させている請求項１記載のメモリカード。
【請求項７】
上記メモリカード本体に折板があり、当該折板は当該メモリカード本体の伝導片の一端の縁の一角に設けられ、折板とメモリカード本体の間係は本体を約４５度の連接部で横切って相互に連接する請求項１記載のメモリカード。
【請求項８】
上記メモリカード本体頂上部に凹槽を設けており、当該凹槽内には凸條が設けられており、これを通じて当該凹槽と凸條はユーザーによるメモリカードの取り扱いを容易にする請求項１記載のメモリカード。
【考案の詳細な説明】
【０００１】
【考案の属する技術分野】
本考案は、両面ともに伝動片および電子式切換スイッチを有するメモリカードに関するものである。
【０００２】
【従来の技術】
メモリカードは、現在新時代の記憶保存メディアで、小さな体積に高い記憶量を有する。伝送速度が速い特性を持ち、特にマルチメディアの資料保存、伝送に適している。
従来、、図１および図２に示すように、一般のメモリカード１０は外側１１前端の一側面には複数の伝導片１２が設けられている。そして、メモリカードに資料を誤って読み込むことを防ぐために外側１１側面にはプラスチック素材のスイッチ片２０が設けられており、当該スイッチ片２０にはカードフック２１と外側１１側面の凹槽１３があり、凹槽１３には逆カギ１４が組み合わさっている。また、当該スイッチ片２０は当該凹槽１３内部の滑槽１５に設置されて移動し、カードリーダーはスイッチ片２０の凸出部２２の位置から、メモリカード１０の書き込み、もしくは書込み防止状態を認識する。
【０００３】
前述の従来のメモリカードは、▲１▼伝導片１２が一面に設置されており、大量の情報伝送に対応できず、メモリカードの効率を向上させることができない。▲２▼スイッチ片２０はプラスチック材質で、長期使用後容易に磨損、弛緩し、カードリーダーの誤読を引き起こしやすいという欠点を有している。
【０００４】
【考案が解決しようとする課題】
本考案は、前記従来技術の欠陥に鑑みてなされたもので、本考案の主要な目的はメモリカード本体の両面に伝導片をそれぞれ設置し、当該本体に電子式切換スイッチを備え、これによって両面に伝導片を設け、伝送效率を引き上げる。その電子式切換スイッチはメモリカードの書き込みもしくは書込み防止の動作を確実にさせることである。
【０００５】
【課題を解決するための手段】
前記課題を解決するため、本考案のメモリカードは本体３１を有しており、当該メモリカード本体３１の表裏両面にそれぞれ伝導片が設けられ、当該伝導片は内部のメモリカード回路を設置しており、伝導片と伝導片の位置は交差して設置している。これによって、当該両面に設置した伝導片はメモリカードの伝導面積を上回ることができ、このためメモリカードの信号伝導効率を引き上げることができる。
【０００６】
【考案の実施の形態】
以下では、本考案の実施の形態を、添付図面を参照して詳細に説明する。
図３および図４は本考案の好ましい実施の形態の一例を示すもので、当該メモリカード３０はメモリカード本体３１を有しており、当該メモリカード本体３１の表裏両面にはそれぞれ伝導片３２ａ、３２ｂが設けられ、当該伝導片３２ａ、３２ｂはメモリカード３１内部のメモリカード回路に通じており、伝導片３２ａと伝導片３２ｂの位置は交差して設置している。これによって、当該両面に設置した伝導片３２ａ、３２ｂはメモリカード３０の伝導面積を上回ることができ、このためメモリカード３０の信号伝導効率を引き上げることができる。
【０００７】
このほかに、当該本体３１の表裏両面にはいずれも凹部３４、３５が設けられており、ラベルもしくは企画書が貼付されている。メモリカード本体３１の頂上部には凹槽３３があり、当該の凹槽３３内には凸條３３１がある。当該凹槽３３と凸條３３１はユーザーにメモリカード３０の取り扱い容易としている。また当該メモリカード本体３１には折板３６があり、当該折板３６は当該メモリカード本体３１の底端の縁の一角に設置されており、折板３６とメモリカード本体３１の関係は当該メモリカード本体３１を約４５度の連続部３６１で斜めに切断し相互に連結している。メモリカード３０を出荷する時、当該折板３６はメモリカード本体３１に連結しており、メモリカード３０を完全な矩形としており、矩形規格のメモリカードのカードリーダーに適用できる。もし当折板３６を連結部３６１で切断すれば、メモリカード３０を一般に通用するメモリカードのポジションで用いることができる。
【０００８】
図５及び図６は、本考案におけるメモリカードのもう一つの実施の形態であり、当該メモリカード１３０にはメモリカード本体１３１の表裏両面にそれぞれ伝導片１３２ａ、１３２ｂが備えられており、当該伝導片１３２ａ、１３２ｂはメモリカード本体１３１内部のメモリカード回路に接続されており、伝導片１３２ａと伝導片１３２ｂの位置は交錯しての設置が可能で、これによって当該両面に設置された伝導片１３２ａ、１３２ｂはメモリカード１３０の伝導面積を拡大することができる。このためメモリカード１３０の情報信号伝導効率を向上させることができる。
【０００９】
また、当該メモリカード本体１３１の表裏両面にはそれぞれ凹部１３４、１３５が設けられており、ラベルもしくは企画書が貼付されている。
更に、当該メモリカード本体１３１には折板１３６があり、当該折板１３６は当該メモリカード本体１３１の底端の縁の一角に設けられており、折板１３６とメモリカード本体１３１とは当該メモリカード本体１３１を約４５度の角度を有する連続部１３６１で斜めに切断可能な状態で相互に連結している。メモリカード１３０を出荷する時、当該折板１３６はメモリカード本体１３１に連結してメモリカード１３０を完全な矩形としており、矩形規格のメモリカードのカードリーダーに適用できる。もし当折板１３６を連結部３６１で切断すれば、メモリカード１３０を一般に通用するメモリカードのポジションで用いられる。
【００１０】
更にまた、図６及び図７に示すように、メモリカード本体１３１の頂上部には電子式のスイッチ４０があり、当該スイッチ４０は断面がほぼ「Π」型の金屬カバーを有しており、当該スイッチ４０内側にはカードフック４１が設けられている。メモリカード本体１３１の頂上部には当該スイッチ４０の設置が可能な凹槽１３７があり、当該凹槽１３７の相対するスイッチ４０のカードフック４１が設置されたところにはカードフック４１の凹部１３７１が形成されている。スイッチ４０はメモリカード本体１３１における凹槽１３７の中にあり（図８参照）、カードフック４１は凹部１３７１にはめ込み設置され、カードフック４１は凹部１３７１の内部において本体１３１に向けて設置、もしくは本体１３１から離れるよう移動させる。また、当該スイッチ４０の位置を調整し、凹部１３７１の内部に凸部１３７２を設置し、当該凸部１３７２によってスイッチ４０の切換時の当該カードフック４１の定位置作用を提供、スイッチ４０の任意の滑走を防止する。更に、凹部１３７１の内部には所定位置に導電片１３８が設置され、スイッチ４０と当該導電片１３８が接触する時、回路短路を形成でき、メモリカード１３０を書込み防止状態とし、スイッチ４０と当該導電片１３８とを引き離し、回路断絶を形成することで、メモリカード１３０に書き込み可能な状態を回復できる（図９参照）。このほかに、スイッチ４０の外部設置可能で適切な凹凸表面４２は，図６，図７に示すとおり複数の横文様が入っており、ユーザーにスイッチ４０を使用する際の摩擦力減少を提供している。
【００１１】
また、図１０及び図１１は当該考案の更に異なる実施の形態を示すものであり、電子式のスイッチ１４０を、メモリカード２３０の頂上部に設置しており、当該メモリカード２３０におけるメモリカード本体２３１の表裏両面にはいずれも伝導片２３２ａ、２３２ｂがあり、当該伝導片２３２ａ、２３２ｂはメモリカード本体２３１内部のメモリカード回路を有している。伝導片２３２ａと伝導片２３２ｂのポジションは交差させた設置が可能で、この両面設置の伝導片２３２ａ、２３２ｂ，はメモリカード２３０の伝導面積を拡大することができる。このためメモリカード２３０の信号伝導効率を引き上げることができる。
【００１２】
このほかに、当該メモリカード本体２３１の表裏両面にはそれぞれ凹部２３４、２３５が設けられ、ラベルもしくは企画書が貼付されている。
当該メモリカード本体２３１には折板２３６があり、当該折板２３６は当該メモリカード本体２３１の底端の縁の一角に設けられており、折板２３６とメモリカード本体２３１の間には当該メモリカード本体２３１を約４５度の角度を有する連続部２３６１で斜めに切断可能な状態で相互に連結している。メモリカード２３０を出荷する時、当該折板２３６はメモリカード本体２３１に連結しており、メモリカード２３０を完全な矩形としており、矩形規格のメモリカードのカードリーダーに適用できる。もし当折板２３６を連結部３６１で切断すれば、メモリカード２３０を一般に通用するメモリカードのポジションで用いられる。
【００１３】
本実施の形態のうち、当該スイッチ１４０は断面がほぼ「Π」型の金屬カバーを有しており、メモリカード本体２３１の頂上部には当該スイッチ１４０の設置が可能な凹槽２３７があり、当該スイッチ１４０は当該凹槽２３７内を滑走することにより、当該スイッチ１４０のポジションの格差を生み、メモリカード回路の短路もしくは断絶を生み出す。これによってメモリカード２３０を書き込み可能もしくは書込み防止の状態とするが、その作動原理と図９に示した実施の形態との類似点については詳細に述べない。また、スイッチ１４０の外部に適切な凹凸表面１４２の設置が可能であり、ユーザーにスイッチ１４０操作での摩擦力を提供する。メモリカード本体２３１の適切な箇所に設けられた凹槽２３８で、カードリーダーの退出機構に配合させ、メモリカード２３０のカードリーダーへの退出速度を低下さる、この修理の技術については詳述しない。
【００１４】
以上述べたところは、本考案の比較的良好な実施例であり、本考案の範囲を制限するものではない。凡そ本考案の特許申請の範囲における変化や修飾はいずれも本考案の重要な所在を失わせるものではなく、また本考案の精神の範囲から逸脱するものでもなく、よっていずれも本考案の一歩進んだ情況であると見なすことができる。
【００１５】
【考案の効果】
以上のように、本考案の本体両面には伝導片が設けられていることから伝送効率を高めており、また、当該本体には電子式の切換スイッチがあり、メモリカードの書き込み可能もしくは書込み防止への切替動作をより確実なものとしている。
【図面の簡単な説明】
【図１】図１は従来のメモリカードの正面図。
【図２】図２は図１のＡ−Ａ線に沿う断面拡大図。
【図３】図３は本考案の比較的良好な実施の形態の斜視図。
【図４】図４は本考案の異なる実施の形態を示す斜視図。
【図５】図５は本考案のもう一つの実施の形態を示す斜視図。
【図６】図６は図５に示した実施の形態についての背面側から観た分解斜視図。
【図７】図７は図５に示した実施の形態についての正面図。
【図８】図８は図７のＡ−Ａ線に沿う断面拡大図。
【図９】図９は図７のＢ−Ｂ線に沿う断面拡大図。
【図１０】図１０は本考案の更に異なる実施の形態についての斜視図。
【図１１】図１１は本考案のまた比較的良好な実施の形態の斜視図。
【符号の説明】
１０　メモリカード
１１　外側
１２　伝導片
１３　凹槽
１４　逆カギ
１５　滑槽
２０　スイッチ片
２１　カードフック
２２　凸出部
３０、１３０、２３０　メモリカード
３１、１３１、２３１　本体
３２ａ、３２ｂ、１３２ａ、１３２ｂ、２３２ａ、２３２ｂ　伝導片
３３　凹槽
３３１　凸條
３４、３５、１３４、１３５、２３４、２３５　凹部
３６、１３６、２３６−折板
３６１、１３６１、２３６１　連結部
１３７、２３７　凹槽
１３７１　凹部
１３７２　凸部
１３８　導電片
２３８　凹槽
４０、１４０　スイッチ
４１　カードフック
４２、１４２　凹凸表面
【図１】
0003098017.tif 000003
【図２】
0003098017.tif 000004
【図３】
0003098017.tif 000005
【図４】
0003098017.tif 000006
【図５】
0003098017.tif 000007
【図６】
0003098017.tif 000008
【図７】
0003098017.tif 000009
【図８】
0003098017.tif 000010
【図９】
0003098017.tif 000011
【図１０】
0003098017.tif 000012
【図１１】
0003098017.tif 000013